(57)【要約】【課題】無線端末が、複数の無線アクセスポイントとの間でデータを分割して送受して、高速なネットワーク接続を実現する。【解決手段】無線端末１−ａと、該無線端末１−ａとの交信を行う無線基地局１−ｂ、１−ｃと、無線基地局１−ｂ、１−ｃと有線で接続される上位ノード１−ｄを含むネットワーク（例えば、インターネット）１００とを有し、無線端末１−ａと上位ノード１−ｄとの間でデータの送受を行う。上りデータ通信時においては、送信側（無線端末側）において、送信データを分割する手段と、前記分割されたデータを、無線基地局を介して複数の上位ノードに送出する手段とを有し、受信側（ネットワーク側）において、前記分割されて、複数のノードに送出されたデータが伝送路上で合流するノード、またはそのノードより更に上流のノードにおいて、分割される前のデータに復元する手段を有する。【選択図】　　　図１
2004072524.tif 000002
【特許請求の範囲】
【請求項１】
無線端末と、該無線端末との交信を行う無線基地局と、該無線基地局と有線で接続される上位ノードを含むネットワークとを有し、前記無線端末と前記上位ノードとの間でデータの送受を行う通信システムであって、
上りデータ通信時においては、
送信側（無線端末側）において、
送信データを分割する手段と、
前記分割されたデータを、前記無線基地局を介して複数の上位ノードに送出する手段とを有し、
受信側（ネットワーク側）において、
前記分割されて、複数のノードに送出されたデータが伝送路上で合流するノード、またはそのノードより更に上流のノードにおいて、分割される前のデータに復元する手段を有することを特徴とする通信システム。
【請求項２】
無線端末と、該無線端末との交信を行う無線基地局と、該無線基地局と有線で接続される上位ノードを含むネットワークとを有し、前記無線端末と前記上位ノードとの間でデータの送受を行うための通信制御方法であって、
上りデータ通信時においては、
前記無線端末において送信データを分割するステップと、
前記分割されたデータを複数の上位ノードに送出するステップと、
前記無線端末において分割されて複数のノードに送出されたデータが伝送路上で合流する前記ネットワーク側におけるノード、あるいはそのノードより更に上流のノードにおいて、前記分割される前のデータに復元するステップと、
を有することを特徴とする通信制御方法。
【請求項３】
無線端末と、該無線端末との交信を行う無線基地局と、該無線基地局と有線で接続される上位ノードを含むネットワークとを有し、前記無線端末と前記上位ノードとの間でデータの送受を行う通信システムであって、
下りデータ通信時においては、
送信側（ネットワーク側）において
ネットワーク側のノードに設けられ、送信データを分割し、無線端末に近接する複数の無線基地局に送信する手段を有し、
受信側（無線端末側）において
上記の複数の基地局からのデータを受信し、分割される前のデータに復元する手段を有することを特徴とする通信システム。
【請求項４】
無線端末と、該無線端末との交信を行う無線基地局と、該無線基地局と有線で接続される上位ノードを含むネットワークとを有し、前記無線端末と前記上位ノードとの間でデータの送受を行うための通信制御方法であって、
下りデータ通信時においては、
ネットワーク側のノードにおいて送信データを分割し、端末に近接する複数の基地局に送信するステップと、
無線端末において前記複数の基地局からのデータを受信し、分割される前のデータに復元するステップと、
を有することを特徴とする通信制御方法。
【請求項５】
ネットワーク側（上位ノード）が、基地局に対し当該無線端末が各無線基地局の受信可能エリアに在圏しているかどうか、確認することを指示する手段を有し、
各無線基地局は、在圏確認信号を自局配下のエリアに送出する手段、及び在圏確認信号に対する無線基地局からの応答結果を上位ノードに報告する手段を有し、
各無線端末は、無線基地局からの在圏確認信号を受信すると、応答する手段を有することを特徴とする請求項３に記載の通信システム。
【請求項６】
ネットワーク側（上位ノード）において、基地局に対して、当該無線端末が各無線基地局の受信可能エリアに在圏しているかどうか、確認することを指示するステップと、
各基地局において、在圏確認信号を、自局配下のエリアに送出し、かつ在圏確認信号に対する無線基地局からの応答結果を上位ノードに報告するステップと、
各無線端末において、無線基地局からの在圏確認信号を受信すると、応答するステップと、
を有することを特徴とする請求項４に記載の通信制御方法。
【請求項７】
前記応答する手段は、各無線基地局に対して下りデータの受信タイミングを通知する手段を含むことを特徴とする請求項５に記載の通信システム。
【請求項８】
前記応答には、各無線基地局に対して、下りデータの受信タイミングを通知することを含むことを特徴とする請求項６に記載の通信制御方法。
【請求項９】
ネットワーク側（上位ノード）が、基地局に対し当該無線端末が各無線基地局の受信可能エリアに在圏しているかどうか、確認することを指示する手段を有し、
各無線基地局は、在圏確認信号を自局配下のエリアに送出する手段、及び在圏確認信号に対する無線基地局からの応答結果を上位ノードに報告する手段を有し、
各無線端末は、無線基地局から在圏確認信号を受信しなくても、自律的に、受信可能な無線基地局をネットワーク側に通知する手段を有することを特徴とする請求項３に記載の通信システム。
【請求項１０】
ネットワーク側（上位ノード）において、基地局に対して、当該無線端末が各無線基地局の受信可能エリアに在圏しているかどうか、確認することを指示するステップと、
各基地局において、在圏確認信号を、自局配下のエリアに送出し、かつ在圏確認信号に対する無線基地局からの応答結果を上位ノードに報告するステップと、
各無線端末において、無線基地局から在圈確認信号を受信しなくても、自律的に、受信可能な無線基地局をネットワーク側に通知するステップとを有することを特徴とする請求項４に記載の通信制御方法。
【請求項１１】
前記各無線端末は、無線基地局から在圏確認信号を受信しなくても、自律的に、下りデータの受信タイミングをネットワーク側に通知する手段を有することを特徴とする請求項９に記載の通信システム。
【請求項１２】
各無線端末において、無線基地局から在圏確認信号を受信しなくても、自律的に、下りデータの受信タイミングをネットワーク側に通知するステップを有することを特徴とする請求項１０に記載の通信制御方法。
【発明の詳細な説明】
【０００１】
【発明の属する技術分野】
本発明は無線通信をアクセス系に用いたブロードバンド通信技術に関する。
【０００２】
【従来の技術】
近年、インターネットユーザーが利用できるアクセスラインの高速化が進み、無線ＬＡＮでは、ＩＥＥＥ８０２．１１ａ規格では最大５４Ｍｂｐｓ、一方、有線のアクセスラインとして最も普及しているＡＤＳＬは最大でも１０Ｍｂｐｓ程度である。
【０００３】
【発明が解決しようとする課題】
従来技術では、上記のように、一番末端のユーザと無線アクセスポイント間のスピードが、無線アクセスポイントからの有線系アクセスラインヘのスピードを逆転しており、そこにボトルネックが生じているという問題がある。
無線アクセスポイントが光ファイバーによってネットワークに接続されている場合は、ボトルネックは生じないが、ＡＤＳＬが光ファイバーに置きかえられるには、今後かなりの期間を要すると予測される。
【０００４】
本発明はこのような事情に鑑みてなされたものであり、無線端末が、複数の無線アクセスポイントとの間でデータを分割して送受して、高速なネットワーク接続を実現することができる通信システム及び通信制御方法を提供することを目的とする。
【０００５】
【課題を解決するための手段】
上記目的を達成するために、請求項１に記載の発明は、無線端末と、該無線端末との交信を行う無線基地局と、該無線基地局と有線で接続される上位ノードを含むネットワークとを有し、前記無線端末と前記上位ノードとの間でデータの送受を行う通信システムであって、上りデータ通信時においては、送信側（無線端末側）において、送信データを分割する手段と、前記分割されたデータを、前記無線基地局を介して複数の上位ノードに送出する手段とを有し、受信側（ネットワーク側）において、前記分割されて、複数のノードに送出されたデータが伝送路上で合流するノード、またはそのノードより更に上流のノードにおいて、分割される前のデータに復元する手段を有することを特徴とする。
【０００６】
また、請求項２に記載の発明は、無線端末と、該無線端末との交信を行う無線基地局と、該無線基地局と有線で接続される上位ノードを含むネットワークとを有し、前記無線端末と前記上位ノードとの間でデータの送受を行うための通信制御方法であって、上りデータ通信時においては、前記無線端末において送信データを分割するステップと、前記分割されたデータを複数の上位ノードに送出するステップと、前記無線端末において分割されて複数のノードに送出されたデータが伝送路上で合流する前記ネットワーク側におけるノード、あるいはそのノードより更に上流のノードにおいて、前記分割される前のデータに復元するステップとを有することを特徴とする。
【０００７】
請求項１、２に記載の発明によれば、複数の有線アクセスラインを用いてデータを送信することにより、上りデータ通信時において高速なネットワーク接続を実現することができる。
【０００８】
また、請求項３に記載の発明は、無線端末と、該無線端末との交信を行う無線基地局と、該無線基地局と有線で接続される上位ノードを含むネットワークとを有し、前記無線端末と前記上位ノードとの間でデータの送受を行う通信システムであって、下りデータ通信時においては、送信側（ネットワーク側）においてネットワーク側のノードに設けられ、送信データを分割し、無線端末に近接する複数の無線基地局に送信する手段を有し、受信側（無線端末側）において前記複数の基地局からのデータを受信し、分割される前のデータに復元する手段を有することを特徴とする。
【０００９】
また、請求項４に記載の発明は、無線端末と、該無線端末との交信を行う無線基地局と、該無線基地局と有線で接続される上位ノードを含むネットワークとを有し、前記無線端末と前記上位ノードとの間でデータの送受を行うための通信制御方法であって、下りデータ通信時においては、ネットワーク側のノードにおいて送信データを分割し、端末に近接する複数の基地局に送信するステップと、無線端末において前記複数の基地局からのデータを受信し、分割される前のデータに復元するステップとを有することを特徴とする。
【００１０】
請求項３、４に記載の発明によれば、複数の有線アクセスラインを用いてデータを送信することにより、下りデータ通信時において高速なネットワーク接続を実現することができる。
【００１１】
また、請求項５に記載の発明は、請求項３に記載の通信システムにおいて、ネットワーク側（上位ノード）が、基地局に対し当該無線端末が各無線基地局の受信可能エリアに在圏しているかどうか、確認することを指示する手段を有し、無線基地局は、在圏確認信号を自局配下のエリアに送出する手段、及び在圏確認信号に対する無線基地局からの応答結果を上位ノードに報告する手段を有し、各無線端末は、無線基地局からの在圏確認信号を受信すると、応答する手段を有することを特徴とする。
【００１２】
また、請求項６に記載の発明は、請求項４に記載の通信制御方法において、ネットワーク側（上位ノード）において、基地局に対して、当該無線端末が各無線基地局の受信可能エリアに在圏しているかどうか、確認することを指示するステップと、各基地局において、在圏確認信号を、自局配下のエリアに送出し、かつ在圏確認信号に対する無線基地局からの応答結果を上位ノードに報告するステップと、各無線端末において、無線基地局からの在圏確認信号を受信すると、応答するステップとを有することを特徴とする。
【００１３】
請求項５、６に記載の発明によれば、下りデータを複数の無線アクセスポイントに分割して送出する際、無線端末が受信可能な無線アクセスポイントにのみデータを送ることにより、さらに高速なネットワーク接続を実現することができる。
【００１４】
また、請求項７に記載の発明は、請求項５に記載の通信システムにおいて、前記応答する手段は、各無線基地局に対して下りデータの受信タイミングを通知する手段を含むことを特徴とする。
【００１５】
また、請求項８に記載の発明は、請求項６に記載の通信制御方法において、前記応答には、各無線基地局に対して、下りデータの受信タイミングを通知することを含むことを特徴とする。
【００１６】
請求項７、８に記載の発明によれば、下りデータを複数の無線アクセスポイントに分割して送出する際、他の無線アクセスポイントからのデータを受信中の無線端末に対しでは、送信タイミングンをずらしてデータを送信することにより、下り無線チャネルの利用効率の向上が図れる。
【００１７】
また、請求項９に記載の発明は、請求項３に記載の通信システムにおいて、ネットワーク側（上位ノード）が、基地局に対し当該無線端末が各無線基地局の受信可能エリアに在圏しているかどうか、確認することを指示する手段を有し、各無線基地局は、在圏確認信号を自局配下のエリアに送出する手段、及び在圏確認信号に対する無線基地局からの応答結果を上位ノードに報告する手段を有し、各無線端末は、無線基地局から在圏確認信号を受信しなくても、自律的に、受信可能な無線基地局をネットワーク側に通知する手段を有することを特徴とする。
【００１８】
また、請求項１０に記載の発明は、請求項４に記載の通信制御方法において、ネットワーク側（上位ノード）において、基地局に対して、当該無線端末が各無線基地局の受信可能エリアに在圏しているかどうか、確認することを指示するステップと、各基地局において、在圏確認信号を、自局配下のエリアに送出し、かつ在圏確認信号に対する無線基地局からの応答結果を上位ノードに報告するステップと、各無線端末において、無線基地局から在圈確認信号を受信しなくても、自律的に、受信可能な無線基地局をネットワーク側に通知するステップとを有することを特徴とする。
【００１９】
請求項９、１０に記載の発明によれば、下りデータを複数の無線アクセスポイントに分割して送出する際、他の無線アクセスポイントからのデータを受信中の無線端末に対しては、送信タイミングをずらしてデータを送信することにより、下り無線チャネルの利用効率が向上する効果が得られる。
【００２０】
また、請求項１１に記載の発明は、請求項９に記載の通信システムにおいて、前記各無線端末は、無線基地局から在圏確認信号を受信しなくても、自律的に、下りデータの受信タイミングをネットワーク側に通知する手段を有することを特徴とする。
【００２１】
また、請求項１２に記載の発明は、請求項１０に記載の通信制御方法において、各無線端末において、無線基地局から在圏確認信号を受信しなくても、自律的に、下りデータの受信タイミングをネットワーク側に通知するステップを有することを特徴とする。
【００２２】
請求項１１、１２に記載の発明によれば、下りデータを複数の無線アクセスポイントに分割して送出する際、他の無線アクセスポイントからのデータを受信中の無線端末に対しでは、送信タイミングンをずらしてデータを送信することにより、下り無線チャネルの利用効率の向上が図れる。
【００２３】
【発明の実施の形態】
以下、本発明の実施形態を、図面を参照して詳細に説明する。本発明の第１実施形態に係る通信システムの構成を図１に示す。第１実施形態に係る通信システムは、無線端末と、該無線端末との交信を行う無線基地局と、該無線基地局と有線で接続される上位ノードを含むネットワークとを有し、前記無線端末と前記上位ノードとの間でデータの送受を行うための通信制御方法であって、上りデータ通信時においては、無線端末において送信データを分割するステップと、前記分割されたデータを複数の上位ノードに送出するステップと、前記無線端末において分割されて複数のノードに送出されたデータが伝送路上で合流する前記ネットワーク側におけるノード、あるいはそのノードより更に上流のノードにおいて、前記分割される前のデータに復元するステップとを有する通信制御方法を実施するための通信システムである。
【００２４】
第１実施形態に係る通信システムの構成を図１に示す。同図において、通信システムは、無線端末１−ａと、該無線端末１−ａとの交信を行う無線基地局１−ｂ、１−ｃと、該無線基地局局１−ｂ、１−ｃと有線で接続される上位ノード１−ｄを含むネットワーク（例えば、インターネット）１００とを有し、無線端末１−ａと上位ノード１−ｄとの間でデータの送受を行う。
【００２５】
第１実施形態に係る通信システムは、上りデータ通信時においては、
送信側（無線端末側）において、送信データを分割する手段と、前記分割されたデータを、基地局を介して複数の上位ノードに送出する手段とを有し、
受信側（ネットワーク側）において、前記分割されて、複数のノードに送出されたデータが伝送路上で合流するノード、またはそのノードより更に上流のノードにおいて、分割される前のデータに復元する手段を有する。
【００２６】
本実施形態では、基地局は２局の例で説明するが、パケットを送信する基地局の数に制限はない。図２にパケットのフォーマットを示す。パケット２−ａは、ＩＰヘッダと、データ本体とから構成されている。
上記構成において、無線端末１−ａは、バケット２−ａを無線区間ヘッダ、フラグメント番号及びデータからなるパケット２−ｂ、パケット２−ｃに分割して、無線基地局１−ｂ、１−ｃに送信する。
【００２７】
送信の際、無線端末は、１つの無線基地局に対する送信を終了するたびに、無線周波数を切り替えて隣接する無線基地局に送信する。無線基地局への帰属、認証を、あらかじめ済ませておくと効率的である。
無線基地局１−ｂ、１−ｃは、それぞれ、パケット２−ｂ、２−ｃを、有線ヘッダ及びフラグメント番号及びデータからなるパケット２−ｄ、２−ｅに組みなおして有線区間に転送する。
合流地点のノード１−ｄは、受信した２つのパケット２−ｄ、２−ｅを、フラグメント番号を参照してパケット２−ｆ（パケット２−ａと同一）に組みなおす。
【００２８】
次に、本発明の第２実施形態に係る通信システムの構成を図３に示す。第２実施形態に係る通信システムは、無線端末と、該無線端末との交信を行う無線基地局と、該無線基地局と有線で接続される上位ノードを含むネットワークとを有し、前記無線端末と前記上位ノードとの間でデータの送受を行うための通信制御方法であって、下りデータ通信時においては、ネットワーク側のノードにおいて送信データを分割し、端末に近接する複数の基地局に送信するステップと、無線端末において前記複数の基地局からのデータを受信し、分割される前のデータに復元するステップとを有する通信制御方法を実施するための通信システムである。
【００２９】
第２実施形態に係る通信システムの構成を図３に示す。同図において、通信システムは、無線端末３−ｄと、該無線端末３−ｄとの交信を行う無線基地局３−ｂ、３−ｃと、該無線基地局３−ｂ、３−ｃと有線で接続される上位ノード３−ａを含むネットワーク（例えば、インターネット）１００とを有し、無線端末３−ｄと上位ノード３−ａとの間でデータの送受を行う。
【００３０】
第２実施形態に係る通信システムは、下りデータ通信時においては、
送信側（ネットワーク側）においてネットワーク側のノードに設けられ、送信データを分割し、無線端末に近接する複数の無線基地局に送信する手段を有し、
受信側（無線端末側）において複数の基地局からのデータを受信し、分割される前のデータに復元する手段を有する。
【００３１】
本実施形態では、基地局は２局の例で説明するが、パケットを送信する基地局の数に制限はない。図４にパケットのフォーマットを示す。パケット４−ａは、ＩＰヘッダと、データ本体とから構成されている。
上記構成において、上位ノード３−ａは、バケット４−ａを有線区間ヘッダ、フラグメント番号及びデータからなるパケット４−ｂ、パケット４−ｃに分割して、無線基地局３−ｂ，３−ｃに送信する。
【００３２】
無線基地局３−ｂ，３−ｃは、それぞれ、パケット４−ｂ、パケット４−ｃを、無区間ヘッダ、フラグメント番号及びデータからなるパケット４−ｄ、４−ｅに組みなおして無線区間に転送する。
無線端末３―ｄは、受信した２つのパケット４−ｄ、４−ｅを、フラグメント番号を参照してパケット４−ｆ（パケット４−ａと同一）に組みなおす。
第２実施形態に係る通信システムの処理に先だって、次に説明する第３実施形態に係る通信システムの処理を行うと、周波数効率の向上が図れる。
【００３３】
次に第３実施形態に係る通信システムの構成を図５に示す。同図において、通信システムは、無線端末５−ｄと、該無線端末５−ｄとの交信を行う無線基地局５−ｂ、５−ｃと、該無線基地局５−ｂ、５−ｃと有線で接続される上位ノード５−ａを含むネットワーク（例えば、インターネット）１００とを有し、無線端末５−ｄと上位ノード５−ａとの間でデータの送受を行う。
【００３４】
第３実施形態に係る通信システムは、ネットワーク１００側（上位ノード）が、無線基地局５−ｂ，５−ｃに対し当該無線端末５−ｄが各無線基地局局５−ｂ，５−ｃの受信可能エリアに在圏しているかどうか、確認することを指示する手段を有し、
無線基地局５−ｂ，５−ｃは、在圏確認信号を自局配下のエリアに送出する手段、及び在圏確認信号に対する無線基地局からの応答結果を上位ノードに報告する手段を有し、
各無線端末５−ｄは、無線基地局からの在圏確認信号を受信すると、応答する手段を有している。本実施形態では、基地局は２局の例で説明するが、パケットを送信する基地局の数に制限はない。
【００３５】
上記構成において、上位ノード５−ａは、無線基地局５−ｂ、５−ｃに周期的に、無線端末５−ｄが在圏しているかどうか、確認するよう指示を出す。
無線基地局５−ｂ，５−ｃは、在圈確認信号を無線区間に送出し、無線端末５−ｄから応答があれば、上位ノード５−ａに報告する。
なお、第３実施形態に係る通信システムの処理に先だって、次に説明する第４実施形態に係る通信システムの処理を行うと、周波数効率の向上が図れる。
【００３６】
次に第４実施形態に係る通信システムの構成を図６に示す。同図において、第４実施形態に係る通信システムは、無線端末６−ａと、該無線端末６−ａとの交信を行う無線基地局６−ｂ、６−ｃと、該無線基地局６−ｂ、６−ｃと有線で接続される上位ノード６−ｄを含むネットワーク（例えば、インターネット）１００とを有し、無線端末６−ａと上位ノード６−ｄとの間でデータの送受を行う。
【００３７】
第４実施形態に係る通信システムは、第３実施形態に係る通信システムにおいて、前記応答する手段は、各無線基地局に対して下りデータの受信タイミングを通知する手段を含むことを特徴とするものである。本実施形態においても基地局が２局の例で説明するが、パケットを送信する基地局の数に制限はない。
上記構成において、無線端末６−ａは、無線基地局６−ｂ、６−ｃからの在圏確認信号を受信すると、それぞれの無線基地局６−ｂ、６−ｃに対して、それぞれの無線基地局６−ｂ、６−ｃが周期的に送信しているビーコン信号からのオフセット値の形で、受信タイミングが重ならないように、下りデータを受信が可能なタイミングを通知する。
【００３８】
上位ノード６−ｄからの下りデータが無線基地局６−ｂ、６−ｃに到着すると、無線基地局６−ｂ、６−ｃは、通知されたタイミングに従って、無線端末６−ａ向けのデータを送信する。
なお、第３実施形態に係る通信システムの処理に代えて、次に説明する第５実施形態に係る通信システムの処理を行っても同様に、周波数効率の向上が図れる。
【００３９】
次に本発明の第５実施形態に係る通信システムの構成を図７に示す。同図において、第５実施形態に係る通信システムは、無線端末７−ａと、該無線端末７−ａとの交信を行う無線基地局７−ｂ、７−ｃと、該無線基地局７−ｂ、７−ｃと有線で接続される上位ノード７−ｄを含むネットワーク（例えば、インターネット）１００とを有し、無線端末７−ａと上位ノード７−ｄとの間でデータの送受を行う。
【００４０】
第５実施形態に係る通信システムは、第２実施形態に係る通信システムにおいて、ネットワーク側（上位ノード）が、基地局に対し当該無線端末が各無線基地局の受信可能エリアに在圏しているかどうか、確認することを指示する手段を有し、各無線基地局は、在圏確認信号を自局配下のエリアに送出する手段、及び在圏確認信号に対する無線基地局からの応答結果を上位ノードに報告する手段を有し、各無線端末は、無線基地局から在圏確認信号を受信しなくても、自律的に、受信可能な無線基地局をネットワーク側に通知する手段を有することを特徴とするものである。本実施形態においても基地局が２局の例で説明するが、パケットを送信する基地局の数に制限はない。
【００４１】
上記構成において、無線端末７−ａは、無線基地局７−ｂ、７−ｃに周期的に、在圈していることを通知する。無線基地局７−ｂ、７ーｃは上位ノード７−ｄに無線端末７−ａが在圈していることを報告する。上位ノード７ーｄは、下りデータ送信時には、第２実施形態で説明した手順により、下りデータを送信する。
【００４２】
第３実施形態に係る通信システムの処理に代えて、第５実施形態に係る通信システムの処理を行う場合は、第４実施形態に係る通信システムの処理に代えて、次に説明する第６実施形態に係る通信システムの処理を行うことが必要である。
【００４３】
次に、本発明の第６実施形態に係る通信システムの構成を図８に示す。同図において、第６実施形態に係る通信システムは、無線端末８−ａと、該無線端末８−ａとの交信を行う無線基地局８−ｂ、８−ｃと、該無線基地局８−ｂ、８−ｃと有線で接続される上位ノード８−ｄを含むネットワーク（例えば、インターネット）１００とを有し、無線端末８−ａと上位ノード８−ｄとの間でデータの送受を行う。
【００４４】
第６実施形態に係る通信システムは、第５実施形態に係る通信システムにおいて、前記各無線端末は、無線基地局から在圏確認信号を受信しなくても、自律的に、下りデータの受信タイミングをネットワーク側に通知する手段を有することを特徴とするものである。本実施形態においても基地局が２局の例で説明するが、パケットを送信する基地局の数に制限はない。
【００４５】
上記構成において、無線端末８−ａは、無線基地局８−ｂ、８−ｃに、周期的に、在圏していることを通知するとともに、それぞれの無線基地局８−ｂ、８−ｃが周期的に送信しているビーコン信号からのオフセット値の形で、受信タイミングが重ならないように、下りデータを受信が可能なタイミングを通知する。
上位ノード８−ｄからの下りデータが無線基地局８−ｂ、８−ｃに到着すると、無線基地局８−ｂ、８−ｃは、通知されたタイミングに従って、無線端末８−ａ向けのデータを送信する。
【００４６】
上記各実施形態に係る通信システム及び通信制御方法によれば、複数の有線アクセスラインを利用した高速ネットワーク接続技術を提供することができる。特に、下りデータ送受信時においては、無線端末側の受信タイミングが重ならないようにずらすことができ、周波数効率を向上させることができる。
【００４７】
また、第３（第４）実施形態に係る通信システムと、第５（第６）実施形態に係る通信システムとを比較した場合、前者では各無線アクゼスポイントから在圏確認用信号を送出させるため、下りデータ送信時に確実に無線端末が在圏するアクセスポイントに対してデータを送信できるメリットがあり、後者では、在圏確認信号が不要となるため、制御負担の軽減と、下り無線チャネルの使用効率の向上できるメリットがある。
【００４８】
【発明の効果】
以上に説明したように、本発明によれば、複数の有線アクセスラインを利用した高速ネットワーク接続技術を提供することができる。
特に、下りデータ送受信時においては、無線端末側の受信タイミングが重ならないようにずらすことができ、周波数効率を向上させることができる。
【図面の簡単な説明】
【図１】本発明の第１実施形態に係る通信システムの構成を示す図。
【図２】図１に示した本発明の第１実施形態に係る通信システムにおいて送受信されるパケットのフォーマット図。
【図３】本発明の第２実施形態に係る通信システムの構成を示す図。
【図４】図３に示した本発明の第２実施形態に係る通信システムにおいて送受信されるパケットのフォーマット図。
【図５】本発明の第３実施の形態に係る通信システムの構成を示す図。
【図６】本発明の第４実施の形態に係る通信システムの構成を示す図。
【図７】本発明の第５実施の形態に係る通信システムの構成を示す図。
【図８】本発明の第６実施の形態に係る通信システムの構成を示す図。
【符号の説明】
１−ａ，３−ｄ，５−ｄ，６−ａ，７−ａ，８−ａ…無線端末、１−ｂ，１−ｃ，３−ｂ，３−ｃ，５−ｂ，５−ｃ，６−ｂ，６−ｃ，７−ｂ，７−ｃ，８−ｂ，８−ｃ…無線基地局、１−ｄ，３−ａ，５−ａ，６−ｄ，７−ｄ，８−ｄ…上位ノード、１００…ネットワーク
【図１】
2004072524.tif 000003
【図２】
2004072524.tif 000004
【図３】
2004072524.tif 000005
【図４】
2004072524.tif 000006
【図５】
2004072524.tif 000007
【図６】
2004072524.tif 000008
【図７】
2004072524.tif 000009
【図８】
2004072524.tif 000010